(57)【要約】【課題】物品を壁面に掛けるとき容易に傾いたり、取り付けが不便であったりという問題を解決できる壁掛け構造体を提供する。【解決手段】吊掛部と被着部を含み、そのうち、吊掛部は壁面に凸設され、かつ第１弧面と当接部を具え、第１弧面は複数の凸歯を具え、当接部が第１弧面に凸設され、かつ各凸歯より高く、被着部が第１表面と、第１表面より低い第２表面を具え、第１表面と第２表面の間に第２弧面と溝部が設けられ、かつ第２弧面も凸歯を具え、被着部の溝部が吊掛部の当接部に被着され、第２弧面の凸歯と第１弧面の凸歯が噛み合わされ、本考案の被着部と吊掛部の接触面は弧面であり、かつ凸歯によって相互に噛み合わされるため、凸歯のピッチを回動距離として被着部を吊掛部に相対して回動させることができる。【選択図】図２Ｂ
0003168574.tif 000002
【実用新案登録請求の範囲】
【請求項１】
壁掛け構造体であって、吊掛部と被着部を含み、
前記吊掛部が壁面に凸設され、かつ第１弧面と当接部を具え、そのうち、前記第１弧面が複数の凸歯を具え、前記当接部が前記第１弧面に凸設され、かつ是前記凸歯より高く、
前記被着部が第１表面と前記第１表面より低い第２表面を具え、そのうち、前記第１表面と前記第２表面の間に第２弧面と溝部が設けられ、かつ前記第２弧面が凸歯を具え、前記被着部が前記溝部を介して前記吊掛部の前記当接部に被着され、前記第２弧面の前記凸歯が前記第１弧面の前記凸歯と噛み合わされることを特徴とする、壁掛け構造体。
【請求項２】
前記吊掛部が座体を含み、前記座体を介して前記壁面に凸設されることを特徴とする、請求項１に記載の壁掛け構造体。
【請求項３】
前記座体に溝孔を設けたことを特徴とする、請求項２に記載の壁掛け構造体。
【請求項４】
前記座体に粘着物を設けたことを特徴とする、請求項２に記載の壁掛け構造体。
【請求項５】
前記被着部に複数のネジ孔を設けたことを特徴とする、請求項１に記載の壁掛け構造体。
【考案の詳細な説明】
【技術分野】
【０００１】
本考案は壁掛け構造体に関し、特に、弧面と当接部を具えた壁掛け構造体に関する。
【背景技術】
【０００２】
壁掛け構造体は、日常生活の随所に見られ、且つ非常に実用的な物品であり、衣類や帽子、鍵、ネックレス、絵画、ポスター、鉢植え等を掛けて設置するために用いられる。最も一般的な壁掛け構造体は、壁面にフック状の部材を設置し、フックを利用して物品を掛けて使用される。直接壁面に突起状の棒を設置し、棒を利用して物品を掛けて使用されるものもある。このほか、液晶ディスプレイなど、一部特定の装置に対する汎用規格の壁掛け構造体もある。
【０００３】
壁掛け構造体の壁掛方式のほか、各種使用上の特殊ニーズに対応するため、従来技術においても回動可能、折り畳み可能、高荷重対応などの特殊機能を具えた壁掛け構造体が派生している。
【０００４】
図１に示すように、従来の壁掛け構造体は、壁面４にフック１０を設置しているが、フック１０が外部に露出されているため、絵画１１をその上に掛けたとき、全体の美感がどうしてもフック１０の影響を受ける。このほか、絵画１１は吊り紐を介してフック１０に掛けられているため、少し力を受けるだけで滑ってしまい、絵画１１が傾いてしまうこともある。
【０００５】
このほか、従来の壁掛け構造体には、額縁の裏側に吊り下げ孔を設置し、この吊り下げ孔を利用して別途壁面に設置されたその吊り下げ孔に合うフック上に掛けるものもある。この壁掛方式は絵画が傾きやすい問題を解決しているが、使用者はフックを取り付けるときに正確に測定する必要があり、フックが曲がっていると、絵画やポスターも傾いてしまう。
【考案の概要】
【考案が解決しようとする課題】
【０００６】
これに鑑みて、本考案の目的は、物品を壁面に掛けるとき容易に傾いたり、取り付けが不便であったりという問題を解決することができる、壁掛け構造体を提供することにある。
【課題を解決するための手段】
【０００７】
本考案の壁掛け構造体は、吊掛部と被着部を含み、そのうち吊掛部は壁面に凸設され、且つ第１弧面と当接部を具え、第１弧面は複数の凸歯を有し、当接部は第１弧面に凸設され、且つ各凸歯より高く、被着部は第１表面と、第１表面より低い第２表面を具え、このほか、第１表面と第２表面の間に第２弧面と溝部が設けられ、且つ第２弧面も凸歯を具え、被着部が溝部を介して吊掛部の当接部に被着され、第２弧面の凸歯が第１弧面の凸歯に噛み合わせられる。
【考案の効果】
【０００８】
本考案の被着部と吊掛部の接触面は弧面であり、且つ凸歯の相互の噛み合わせを通して、凸歯のピッチを回動距離として被着部を吊掛部に相対させて回動させることができる。これにより、使用者は吊掛部と被着部の取り付け時に誤差があっても、被着部と吊掛部の相互間の回動によって調整することができ、使用者の不便を大幅に減少することができる。
【０００９】
このため、本考案は従来の壁掛け構造体においてよくある絵画が容易に傾いたり、取り付けが不便であったりという問題を解決することができる。以下、本考案の実施例と図面を参照して詳細に説明する。
【図面の簡単な説明】
【００１０】
【図１】従来技術を示す立体図である。
【図２Ａ】本考案の実施例１の立体分解図１である。
【図２Ｂ】本考案の実施例１の立体分解図２である
【図３Ａ】本考案の実施例１の立体組立図１である。
【図３Ｂ】本考案の実施例１の立体組立図２である。
【図４】本考案の実施例１の断面図１である。
【図５Ａ】本考案の実施例１を額縁に取り付けた状態を示す立体図１である。
【図５Ｂ】本考案の実施例１を額縁に取り付けた状態を示す立体図２である。
【図５Ｃ】本考案の実施例１の断面図２である。
【図６Ａ】本考案の実施例１を額縁に取り付けた状態を示す立体図３である。
【図６Ｂ】本考案の実施例１を額縁に取り付けた状態を示す立体図４である。
【図６Ｃ】本考案の実施例１の断面図３である。
【図７】本考案の実施例２の断面図である。
【考案を実施するための形態】
【００１１】
以下に図面を参照しながら本考案について詳しく説明する。
［実施例１］
図２Ａから図３Ｂに本考案の実施例１の立体図１、立体図２、組立図１、組立図２をそれぞれ示す。そのうち、壁掛け構造体２０は主に吊掛部２１と被着部２２の２つの部分に分けられる。
【００１２】
吊掛部２１は第１弧面２１１と当接部２１２を具え、第１弧面２１１は複数の凸歯３を具えており、当接部２１２は第１弧面２１１に凸設され、且つ各凸歯３より高い。本実施例において、吊掛部２１はさらに座体２１８を含み、かつ座体２１８の溝孔２１９により、図４に示すように、壁面４上に設置される。本実施例の溝孔２１９の別の用途は、吊掛部２１の左右の固定位置を微調整する機能を提供する。
【００１３】
被着部２２は第１表面２２１と、第１表面２２１より低い第２表面２２２を具え、このほか、第１表面２２１と第２表面２２２の間に第２弧面２２３と溝部２２４が設けられ、且つ第２弧面２２３も凸歯３を具えている。被着部２２は、溝部２２４を吊掛部２１の当接部２１２に被着することにより、第２弧面２２３の凸歯３が第１弧面２１１の凸歯３に噛み合せられる。被着部２２と吊掛部２１の結合の態様は図３Ａと図３Ｂに示すとおりである。
【００１４】
図４に示すように、被着部２２は第２弧面２２３と吊掛部２１の第１弧面２１１が相互に接触し、同時に複数の凸歯３が相互に噛みあわされるため、被着部２２を吊掛部２１に相対して回動させることができ、且つ毎回の回動の最小距離は、複数の凸歯３間のピッチである。このため、壁掛け構造体２０の取り付け時に若干の偏差があっても、被着部２２と吊掛部２１間の相対的な回動によって、その上に掛けた絵画が傾くことがないようにできる。
【００１５】
図５Ａに本考案の実施例１を額縁に取り付けた状態の立体斜視図１を示す。そのうち、吊掛部２１は座体２１８の溝孔２１９により壁面４に固定され、被着部２２はネジ孔２２９により絵画１１の額縁１１１上にネジで固定される。これにより、図５Ｂと図５Ｃに示すように、被着部２２と吊掛部２１の両者の組み合わせによって絵画１１を壁面４上に掛けることができる。
【００１６】
図６Ａに本考案の実施例１を額縁に取り付けた状態の立体斜視図２を示す。そのうち、被着部２２はネジ孔２２９により壁面にネジで固定され、吊掛部２１は先に溝孔２１９によって額縁１１１に固定され、その後被着部２２の結合によって壁面４に凸設される。同様に、図６Ｂと図６Ｃに示すように、被着部２２と吊掛部２１の両者の組み合わせによって絵画１１を壁面４上に掛けることができる。
［実施例２］
【００１７】
図７に本考案の実施例２の断面図を示す。ネジで固定する方式は、壁面４上に孔を開ける必要があるが、壁掛け構造体２０の壁面４上における位置を移動させる必要があるとき、使用者は再度壁面４上に孔を開ける必要が生じるほか、同時に元の設置位置に残った孔を隠すことを考えなければならなくなる。このため、本考案はネジで固定する方式のほか、吊掛部２１と被着部２２上に粘着物５を設置し、粘着方式で吊掛部２１と被着部２２をそれぞれ壁面４と額縁１１１上に固定することもできる。そのうち、粘着物５は両面テープまたはその他粘着効果のある粘着剤とすることができる。
【００１８】
このほか、本考案の壁掛け構造体２０は、異なる寸法または異なる材質に設計し、各種使用状況に対応することができ、例えば、重い物を掛けるときは、金属材質を採用し、湿気のある環境ではプラスチックやステンレス等を採用することができる。
【００１９】
本考案の技術内容について、最良の実施例を挙げて上述のように開示したが、上述の説明は本考案を限定するものではなく、当業者であれば、本考案の要旨を逸脱せずに変更や修飾が可能であり、それらはすべて本考案の範疇に含まれる。このため、本考案の保護範囲は後付の実用新案登録請求の範囲に準じる。
【符号の説明】
【００２０】
３        凸歯
４        壁面
５        粘着物
１０      フック
１１      絵画
２０      壁掛け構造体
２１      吊掛部
２２      被着部
１１１    額縁
２１１    第１弧面
２１２    当接部
２１８    座体
２１９    溝孔
２２１    第１表面
２２２    第２表面
２２３    第２弧面
２２４    溝部
２２９    ネジ孔
【図１】
0003168574.tif 000003
【図２Ａ】
0003168574.tif 000004
【図２Ｂ】
0003168574.tif 000005
【図３Ａ】
0003168574.tif 000006
【図３Ｂ】
0003168574.tif 000007
【図４】
0003168574.tif 000008
【図５Ａ】
0003168574.tif 000009
【図５Ｂ】
0003168574.tif 000010
【図５Ｃ】
0003168574.tif 000011
【図６Ａ】
0003168574.tif 000012
【図６Ｂ】
0003168574.tif 000013
【図６Ｃ】
0003168574.tif 000014
【図７】
0003168574.tif 000015